(57)【特許請求の範囲】
【請求項１】
閉鎖状態で、ケーブル（１３）を通して収容する開口（３）をハウジングの両方の端部（２）に有するハウジングと、前記ハウジングを前記ケーブル（１３）に固定する固定手段（６）とを具備しており、
前記固定手段（６）が、前記開口の近くにおいて、前記ハウジングの両方の端部（２）の少なくとも１方の端部（２）で前記ケーブル（１３）を把持し、
前記固定手段（６）が前記ケーブル（１３）の長さ方向の軸に沿って変形可能に設計されており、
かつ、前記固定手段（６）が前記ケーブル（１３）を横切る方向にも変形可能に設計されており、
前記固定手段（６）が１対の固定エッジ（９）を有し、それらの固定エッジ（９）の間にスロット（８）を形成する直線状部分を有し、前記ハウジングが開放状態にあるとき、前記スロット（８）の中に前記ケーブル（１３）が位置決めされて固定され、かつ、前記１対の固定エッジ（９）が、互いに平行に延び、さらに、前記ケーブルの長さ方向の軸に沿って変形し得るとともに前記ケーブル（１３）を横切る方向にも変形し得る、ケーブル（１３）の電気ノイズを吸収するノイズ吸収装置であって、
前記固定エッジ（９）がハウジングの前記端部（２）に平行に互いに内側に延びる細長い片（７）に形成される、ノイズ吸収装置。
【請求項２】
前記細長い片（７）がＬ字の形状で２つの脚を有し、前記細長い片（７）の一方の脚が前記ハウジングの前記端部（２）と前記固定エッジ（９）に対して平行に延びる、請求項１に記載のノイズ吸収装置。
【請求項３】
前記細長い片（７）の他方の脚が前記ハウジングの一方の端部（２）に単一片として接合される、請求項２に記載のノイズ吸収装置。
【請求項４】
前記固定エッジ（９）の外端が互いに離れて広がっている、請求項１〜３のいずれか１項に記載のノイズ吸収装置。
【請求項５】
前記固定エッジ（９）が前記スロット（８）の先端領域で互いに平行に延びている、請求項１〜４のいずれか１項に記載のノイズ吸収装置。
【請求項６】
前記固定手段（６）が前記ハウジングの両端部（２）に形成される、請求項１〜５のいずれか１項に記載のノイズ吸収装置。
【発明の詳細な説明】
【技術分野】
【０００１】
本発明は、ケーブルの電気ノイズを吸収するノイズ吸収装置に関する。
【背景技術】
【０００２】
ケーブル内の「ノイズ」とも呼ばれる干渉電気信号の伝播は、例えば強磁性材料から製造される完全閉鎖型またはほぼ完全閉鎖型リングのどちらかを通してルーティングすることによって防ぐことができるとわかっている。そのようなリングを通して従来のケーブルを後でルーティングできるように、強磁性体から製造される１対のハーフリングがスプリットシェルハウジングに組み込まれた装置が知られている。このハウジングがケーブルを取り囲むことによって、閉鎖された磁性リング、すなわち狭い空隙を有するリングが得られる。そのような装置をケーブルに固定することができるように、ハウジングは固定手段を備えている。強磁性材料を含むハウジングがケーブルに沿って摺動することを防がなければならない。例えば、ケーブルが通される開口上でケーブルを把持する歯を形成することが知られている。この種の公知の装置（ＥＰ２５７１７９参照）では、各開口にそのような歯がそれぞれ形成されている。
【０００３】
２つのエッジ間のスロットにケーブルを挿入して、適所に固定することも知られている（ＤＥ１９９１２９１７参照）。
【０００４】
この種の装置は、さまざまな直径のケーブルに取り付けられることが多い。しかしながら、同じゲージのケーブルであっても柔軟性が異なるという問題もある。これは、例えばケーブルがヘビーゲージのワイヤコアを有する場合に当てはまる。この場合、それらのケーブルは多数の細いワイヤコアを有するケーブルよりも柔軟性が劣っている。
【特許文献１】ＥＰ２５７１７９
【特許文献２】ＤＥ１９９１２９１７
【発明の開示】
【発明が解決しようとする課題】
【０００５】
本発明は、ケーブルの電気ノイズを吸収する装置であって、各種ケーブルにしっかりと固定することのできる装置を設計するという課題に基づいている。
【課題を解決するための手段】
【０００６】
この課題を解決するために、本発明は請求項１に記載した特徴を有するノイズ吸収装置を提供する。本発明のさらなる発展態様は、従属請求項の主題である。
【発明を実施するための最良の形態】
【０００７】
本発明の装置は強磁性材料が収容されるハウジングを有する。ハウジングは、現状技術で公知のハウジングと同様のスプリットシェルハウジングにすることができる。しかしながら、本発明は、１対のハーフシェルの形態に限定されておらず、例えばケーブルをそこから通さなくてはならないハウジングにも適用することができる。ケーブルの長さに沿った固定手段の変形によって、非常に硬い、または非常に太いケーブルを収容して、変形後に固定の役割を果たす十分な反力を発生させることができる。ケーブルが硬いほど、ケーブルは曲がることができないので、端壁の利用できる空間も広くなる。
【０００８】
本発明のさらなる発展態様では、固定手段がケーブルに対して横方向に変形可能に設計されるように規定することができる。さらなる可能性として、柔軟性および／またはゲージの異なるケーブルを収容することができる。
【０００９】
本発明のさらなる発展態様では、固定手段が、スロットを形成し、その間にケーブルが固定される１対の固定エッジを有するように規定することができる。これは、ケーブルを横からスロットに押し込むようにして固定することによって達成することができる。しかしながら、縦方向変形のため、ケーブルが片側から固定手段をすり抜けることも可能になり、固定手段の変形を招くことにもなる。
【００１０】
本発明のさらなる発展態様では、固定エッジがハウジングの端部にほぼ平行に延びるストリップ上に形成されるように規定することもできる。このストリップは、平板状要素にすることができる。これらは、一定の場所でハウジングの両端部に接続される。
【００１１】
例えば、本発明のさらなる発展態様では、ストリップがＬ状断面を有することによって、一方の脚がハウジングの端部に平行で、固定エッジからなるように規定することができる。
【００１２】
他方の脚は、好ましくはハウジングの端壁の一体部分である。
【００１３】
片側が開放しているスロットの場合、本発明によれば、固定エッジの外端が互いに広がってスロットの自由端に向かって延びるように規定することができる。
【００１４】
固定エッジがスロットの閉鎖端の近傍で互いに平行になるように規定することができる。
【００１５】
本発明によれば、好ましくは他方の固定手段と同一の固定手段がハウジングの反対側の端部に設けられるように規定することができる。
【００１６】
本発明のその他の特徴、詳細および利点は、以下の本発明の好適な実施形態の説明と図面を参照することにより、その記載内容が本明細書の一体部分をなす特許請求の範囲と要約書から明らかになる。
【実施例】
【００１７】
図１は、ケーブルの電気ノイズを吸収する装置の開放されたハウジングの端面図を示す。このハウジングはほぼトラフ形状の１対のハーフシェル１からなっており、その各端部２はほぼ半円の切り欠き３の形をした開口を有する。１対のハーフシェル１は、その長縁の近傍に形成されたフォイルヒンジ４によって接合される。フォイルヒンジ４に対する一方のハーフシェルの外縁上に、ハーフシェル１を適所に閉鎖位置で係合する歯を備えた突出部５がある。
【００１８】
特に、ハウジングのプラスチック上に射出成形された固定手段６は、図１で見て左側のハウジングシェルの端部２の近傍に形成される。固定手段６は、付随するハウジングハーフシェル１の端部２に平行に延びる平面状の前面を有する２つのストリップ７からなっている。両ストリップは、その間にスロット８を形成する隙間を有する。ストリップ７の内面は、固定エッジ９を形成する。ハウジングの端部２の半円切欠き３の形をした開口の輪郭によって形成されるスロット８の端部が位置する図１の下部には、固定エッジが互いに平行に延びている。スロット８が開放する端部の近傍に挿通チャンネルを形成するために、固定エッジは広がっている。
【００１９】
同一の固定手段６が、図１の右側のもう一方のハウジングハーフシェル１の反対側の端部に配設されている。この場合、ストリップ７の後面１０が示されており、ハウジングハーフシェル１の端部２から距離があるため、段が形成される。
【００２０】
図２は、図１のハウジングハーフシェルを下方から見た図を示す。一定の距離を置かれた１対のフォイルヒンジ４が存在することがわかる。また、ストリップ７の第１の脚がＬ状断面を有する、すなわち、下方から見たときにＬ状であることによって、各ストリップ７がハウジングの端部２に平行に延びていることもわかる。第２の脚は、第１の脚をハウジングの端部２と単一片として接合する役目を果たす。図２からもわかるように、縦応力、すなわち図２の下部から上部に作用する応力が発揮され、ストリップ７の変形によって、固定エッジ９が上方に移動することができる。
【００２１】
図３を参照する。この図は、図１の上方から見た図１の構成を示す。したがって、ストリップ７の後面１０が端部２の表面から少しだけ離れていること、ストリップ７をケーブルの長さに沿って縦方向に変形させる切り欠きすなわち切り込み１１がストリップとハウジングハーフシェルの端部２との間に存在することがわかる。
【００２２】
図４は、ケーブルが挿入されていない閉鎖されたハウジングの側面図である。この図でも、ストリップ７をハウジングと接続する脚の高さを低減するために、切り込み１２がストリップ７とハウジングハーフシェル１の端部２との間に存在する。このことも、板状要素の形態で形成されるストリップ７の配設に役立っており、固定エッジ９が軸方向に移動できるような様式で接続要素を変形させることによって、ストリップ７を変形させることができるようになる。「軸方向」は、ハウジングハーフシェルの片方の端部に半円切り欠き３を連結する軸に沿って定義される。
【００２３】
そのようなハウジングをケーブル１３に取り付けた結果を図５に示す。使用するケーブルは、２つの固定エッジ９の間の平行部分の距離よりも大幅に大きな直径を有する比較的にヘビーゲージのケーブルであると仮定する。これにより、スロット８を広げるために、ストリップ７をハウジングハーフシェルの端部２から離して向きを変えさせる。同時に、固定エッジ９の角がケーブル１３の絶縁材料を把持する鋭角を形成するという効果が生じる。図５からわかるように、この種の変形によって硬いヘビーゲージケーブル１３が固定可能になる一方、細いまたは柔軟なケーブルがストリップ７にもたらす変形が少なくなる。
【図面の簡単な説明】
【００２４】
【図１】開放されたハウジングの端面図である。
【図２】開放されたハウジングを両ハウジングシェルの閉鎖側から見た図である。
【図３】図１に示す開放されたハウジングの上面図である。
【図４】ケーブルのない閉鎖されたハウジングの側面図である。
【図５】ヘビーゲージケーブル上に固定されたハウジングの概ほぼ上面図である。
【符号の説明】
【００２５】
１  ハーフシェル
２  端部
３  切り欠き
４  フォイルヒンジ
５  突出部
６  固定手段
７  ストリップ
８  スロット
９  固定エッジ
１０  後面
１１  切り込み
１３  ケーブル
【図１】
0005438508.tif 000002
【図２】
0005438508.tif 000003
【図３】
0005438508.tif 000004
【図４】
0005438508.tif 000005
【図５】
0005438508.tif 000006